(57)【要約】【課題】大きな振動や衝撃が装置に加った場合や光ディスク重心とクランプ孔中心のずれなどに起因して光ディスクの振れが発生しても、光ディスクにキズを付けることがなく、また装置の薄型化が可能なディスクドライブ装置を実現する。【解決手段】光ディスク１０を駆動するディスクドライブ装置において、前記光ディスクと接触することで前記光ディスクの振れを規制する規制手段１５を、前記光ディスク１０を回転駆動させるディスク回動駆動手段を支持するトラバースメカユニット１４の面上であって前記光ディスクに対向するように設けた。【選択図】　　　　図１
2004079106.tif 000002
【特許請求の範囲】
【請求項１】
光ディスクを駆動するディスクドライブ装置において、前記光ディスクと接触することで前記光ディスクの振れを規制する規制手段を、前記光ディスクを回転駆動させるディスク回動駆動手段を支持するトラバースメカユニットの面上であって前記光ディスクに対向するように設けたことを特徴とするディスクドライブ装置。
【請求項２】
前記規制手段は前記トラバースメカユニットを浮動支持する防振部材と一体的に形成された部材であることを特徴とする請求項１記載のディスクドライブ装置。
【請求項３】
前記規制手段は前記トラバースメカユニットを浮動支持する防振部材と一体的に形成され、前記防振部材とともに前記トラバースメカユニットを浮動支持する支持部材の頂部を取り囲むように形成されている部材であることを特徴とする請求項１記載のディスクドライブ装置。
【請求項４】
前記規制手段は、前記トラバースメカユニットを浮動支持する複数の防振部材とそれぞれ一体的に形成された部材であることを特徴とする請求項１記載のディスクドライブ装置。
【発明の詳細な説明】
【０００１】
【発明の属する技術分野】
本発明はディスクドライブ装置に関し、より詳細には光ディスクに対して記録・再生を行うために光ディスクを回転駆動するディスクドライブ装置における光ディスクを保護するディスク保護機構の構造に関する。
【０００２】
【従来の技術】
光ディスクとしてＣＤ、ＣＤ−ＲＯＭ、ＣＤ−Ｒ、ＣＤ−ＲＷ、ＤＶＤ−ＲＯＭ等の様々なメディアが普及し、これらの光ディスクに記録されているデータを読み取ったり、または光ディスクにデータを書き込んだりするために光ディスクを一定な回転数に回転させるディスクドライブ装置が知られている。このようなディスクドライブ装置には、ディスク面のトラックを追跡するトラッキングサーボ、光ピックアップを移動させる送りモータを有する送りサーボなどいくつかのサーボ回路が搭載されており、光ディスクに対する記録・再生の動作を行っている。
【０００３】
図４は、従来のディスクドライブ装置の構成を示す斜視図である。同図において、従来のディスクドライブ装置４０は、主に、装置本体４１、ディスク回転駆動手段４２、トラバースメカユニット４３及び浮動支持機構４４を含んで構成されている。ディスク回転駆動手段４２は、光ディスクのクランプ孔（図示せず）に回転軸を嵌入してチャッキングされた当該光ディスクを一定回転数で回転させる。また、このディスク回転駆動手段４２が取り付けられているトラバースメカユニット４３は、ディスクドライブ装置４０における装置本体４１のベースとなる筐体に取り付けられている。また、浮動支持機構４４はトラバースメカユニット４３から伸びた舌部分を浮動支持するもので、外部からトラバースメカユニット４３へ振動や衝撃が伝わることを低減し、また光ディスクの回転に起因するトラバースメカユニット４３の振動が装置本体４１に伝わるのを低減するように機能する。図４に示すように、浮動支持機構４４を３個用いてトラバースメカユニット４３は浮動支持されている。
【０００４】
図５は、浮動支持機構４４を構成する各部材を示す分解斜視図、図６は従来のディスクドライブ装置の浮動支持機構４４の断面図である。両図において、ディスクドライブ装置４０の浮動支持機構４４は、台座部材４５、ラバー材やエラストマーで形成されている防振部材４６及びネジ等の取り付け部材４７を含んで構成されている。ここで、台座部材４５は円盤状を成し、防振手段４６は円柱状を成している。また、台座部材４５及び防振部材４６の中心には、取り付け部材４７が嵌入する孔４８，４９がそれぞれ設けられている。更に、防振手段４６の外周面にはトラバースメカユニット４３が嵌入する切欠部５０が設けられている。そして、台座部材４５、防振部材４６の切欠部５０にトラバースメカユニット４３を嵌入させてトラバースメカユニット４３を挟持した状態の防振部材４６を順に重ね、台座部材４５の孔４８及び防振手段４６の孔４９を通した取り付け部材４７で、台座部材４５及び防振部材４６は装置本体４１の所定位置設けられたネジ孔５１にネジ止めされている。また、ディスク回動駆動手段４２にセットされた光ディスク５２と取り付け部材４７の頂部は、所定の距離ｄだけ離間している。
【０００５】
【発明が解決しようとする課題】
ノートＰＣ搭載用のディスクドライブ装置では薄型化を実現するために、ディスク回動駆動手段４２にセットされた光ディスク５２と取り付け部材４７の頂部との間の距離ｄを小さくすることが要求される。このため、装置に大きな振動や衝撃が加わった時に、取り付け部材４７と光ディスク５２が干渉して光ディスク５２の表面にキズが付く恐れがある。また、光ディスク５２のクランプ孔中心と、光ディスク５２のレーベル面に印刷量の偏りに起因するディスク重心のズレから発生するディスク面の振れが大きいと、やはり取り付け部材４７と光ディスク５２が干渉して光ディスクにキズが付く。
【０００６】
従って、本発明は上記従来技術の問題点を解決し、振動や衝撃が装置に加った場合や光ディスク重心とクランプ孔中心のずれなどに起因して光ディスクの振れが発生しても、光ディスクにキズを付けることがなく、また装置の薄型化が可能なディスクドライブ装置を実現することを目的とする。
【０００７】
【課題を解決するための手段】
前記問題点を解決するために、本発明のディスクドライブ装置は、光ディスクを駆動するディスクドライブ装置において、前記光ディスクと接触することで前記光ディスクの振れを規制する規制手段を、前記光ディスクを回転駆動させるディスク回動駆動手段を支持するトラバースメカユニットの面上であって前記光ディスクに対向するように設けたディスクドライブ装置である。光ディスクの振れを規制する規制手段がトラバースメカユニットの面上であって光ディスクに対向するように設けられているため、光ディスクに振れ（ディスク面に略垂直方向の移動）が発生しても、光ディスクの移動は規制手段で規制され、トラバースメカユニット上の他の部品に接触することはない。よって、光ディスクが振れても光ディスクは損傷を受けない。この結果、光ディスクをトラバースメカユニットに近接して配置することができるようになり、装置の薄型化を実現できる。
【０００８】
上記構成のディスクドライブ装置において、前記規制手段は前記トラバースメカユニットを浮動支持する防振部材と一体的に形成された部材である構成とすることができる。一体的に形成されたとは、同一材料で一体的に形成された場合や、別々に形成された規制手段と防振部材とを一体的に取り付けた場合である。
【０００９】
上記構成のディスクドライブ装置において、前記規制手段は前記トラバースメカユニットを浮動支持する防振部材と一体的に形成され、前記防振部材とともに前記トラバースメカユニットを浮動支持する支持部材の頂部を取り囲むように形成された部材である構成とすることができる。規制手段が支持部材の頂部を取り囲むように形成された部材なので、光ディスクに振れが発生してもディスク面の振れは規制手段で規制されているため、支持部材の頂部に接触することがない。よって、光ディスクの損傷を回避することができる。
【００１０】
上記構成のディスクドライブ装置において、前記規制手段は、前記防振部材とともに前記トラバースメカユニットを浮動支持する支持部材の頂部に設けられた部材である構成とすることができる。ゴムなどの部材を支持部材の頂部に設けることで、光ディスクに振れが発生しても光ディスクはこの部材に接触するのみで、支持部材に接触することはない。よって、光ディスクの損傷を回避することができる。
【００１１】
上記構成のディスクドライブ装置において、前記規制手段は前記トラバースメカユニットを浮動支持する防振部材と同一材料で一体的に形成された部材である構成とすることができる。この構成は、上記一体的に形成された構成の一態様である。規制手段が防振部材と同一材料で一体的に形成された部材なので、部品点数を増やすことなく、簡単な構成で効果的に光ディスクの振れを規制することができる。
【００１２】
上記構成のディスクドライブ装置において、前記規制手段は、前記トラバースメカユニットを浮動支持する複数の防振部材とそれぞれ一体的に形成された部材である構成とすることができる。この構成は、上記一体的に形成された構成の一態様である。規制手段が防振部材と同一材料で一体的に形成された部材なので、部品点数を増やすことなく、簡単な構成で効果的に光ディスクの振れを規制することができるとともに、複数の防振部材の各々に対応して規制手段を設けているため、より効果的かつ確実に光ディスクの振れを規制することができる。
【００１３】
【発明の実施の形態】
以下、本発明の実施の形態を、添付図面を参照して説明する。
【００１４】
図１（ａ）は、本発明の一実施の形態に係るディスクドライブ装置の構成を示す断面図である。図１（ａ）は光ディスク１０がディスクドライブ装置に装着された通常の状態を示す。
【００１５】
ディスクドライブ装置は、装置本体１３、トラバースメカユニット１４及びトラバースメカユニット支持機構（以下、支持機構という）とを含む。支持機構は前述の浮動支持機構４４に置き換わるもので、ストッパ一体防振部材１１と取り付け部材１６とを有する。ストッパ一体防振部材１１はラバー材やエラストマー等の弾性を有する緩衝部材で形成され円筒状であり、その上部にストッパ１５を有する。以下、ストッパ一体防振部材１１を単に防振部材という。本実施の形態のストッパ１５は、防振部材と同一材料で一体的に形成されたものである。
【００１６】
ストッパ１５は、光ディスク１０と接触することで光ディスク１０の振れを規制する規制手段規制手段として機能する。ストッパ１５はトラバースメカユニット１４の面上であって光ディスク１０と対向するように設けられている。ストッパ１５は、取り付け部材１６の頂部（ネジ山）の周囲を囲むように形成されている。ストッパ１５は内部に凹部２１を有し、この凹部２１の中に取り付け部材１６の頂部が収容される。図１（ａ）に示すように、凹部２１の深さをＤとし、この凹部２１に収容された取り付け部材１６の頂部とストッパ１５の頂部との距離をＤ１とした場合、Ｄ＞Ｄ１の関係が成立する。
【００１７】
防振部材１１はトラバースメカユニット１４に設けられた嵌入孔１７に嵌着されるための凹部１８（図中破線円で囲む部分）を有する。この凹部１８はトラバースメカユニット１４の嵌入孔１７に嵌入されている。取り付け部材１６は、防振部材１１の嵌入孔１９を貫通している。取り付け部材１６の先端には雄ネジが形成されており、装置本体１３に形成された雌ネジ２０に係合する。このようにして取り付け部材１６を雌ネジ２０にネジ止めした状態で、防振部材は装置本体１３とトラバースメカユニット１４との間で湾曲状に弾性変形する。この弾性変形により、トラバースメカユニット１４は装置本体１３上に浮動支持される。この浮動支持により、外部からトラバースメカユニット１４へ振動や衝撃が伝わることを低減し、また光ディスク１０の回転に起因するトラバースメカユニット１４の振動が装置本体１３に伝わるのを低減することができる。
【００１８】
今、振動や衝撃又は光ディスク１０の偏心に起因して光ディスク１０の触れが発生すると、光ディスク１０が図１（ａ）の矢印方向に移動する。この場合、防振部材１１の働きによりある程度の振れは吸収できるが、防振部材１１の緩衝性能を越える振れが起こると、光ディスク１０はストッパ１５に接触する。ストッパ１５は若干弾性変形するが、取り付け部材１６の頂部と光ディスク１０の表面との間に空隙Ｄ２（＜Ｄ１）は確保される。よって、光ディスク１０が振れても、ストッパ１５の作用により光ディスク１０が取り付け部材１６に接触することを回避することができる。同時に、ストッパ１５はラバー材やエラストマー等の緩衝部材（接触してもディスク面に傷をつけない程度の柔らかさを持つ部材）で形成されているので、ディスク面は損傷を受けることはない。この結果、光ディスク１０をトラバースメカユニット１４に近接して配置することができるようになり、装置の薄型化を実現できる。
【００１９】
防振部材１１とストッパ１５とは同一材料で一体的に形成されているので、部品点数を増大させることなく簡単な構成で光ディスク１０の振れを規制することができる。この変形例として、防振部材１１とストッパ１５とを別部品としてもよい。例えば、凹部１８付近で防振部材１１とストッパ１５とを２分割することでも、上記実施の形態と同様に光ディスク１０の振れを規制することができる。
【００２０】
図２（ａ）は、本発明の別の実施の形態に係るディスクドライブ装置の構成を示す断面図である。同図において、図１と同じ参照符号は同じ構成要素を示す。図１に示す構成とは次の点で異なる。第１に、図２（ａ）に示すディスクドライブ装置は、装置本体１３と一体成型された取り付け部材１６Ａを有する。第２に、図２（ｂ）に示すように、防振部材１１は４つの脚部２２を有する。脚部２２は、装置本体１３に設けられた嵌入孔２３に嵌着されている。
【００２１】
防振部材１１は同一材料で一体的に形成されたストッパ１５を有する。防振部材１１を取り付け部材１６Ａの周囲に取り付け、トラバースメカユニット１４の嵌入孔１７に嵌入させた通常の状態で、空隙Ｄ３が確保されている。この状態で光ディスク１０の振れが起きても、光ディスク１０がストッパ１５に接触するのみで、取り付け部材１６Ａに光ディスク１０が接触することはない。このようにして、光ディスク１０が損傷を受けることを回避することができる。
【００２２】
図３は、本発明の更に別の実施の形態に係るディスクドライブ装置の構成を示す断面図である。同図において、図１と同じ参照符号は同じ構成要素を示すものとする。図１に示す構成と異なる要素として、光ディスク１０と対向するネジ等の取り付け部材１６の頂部に、ラバー材やエラストマー等の弾性を有する緩衝部材をコーティング加工により形成されたストッパ２４が設けられている。このストッパ２４は、光ディスク１０と接触することで光ディスク１０の振れを規制する規制手段である。図３に示す通常状態において、光ディスク１０の振れが起きても、光ディスク１０がストッパ２４に接触するのみで、取り付け部材１６に光ディスク１０が接触することはない。このようにして、光ディスク１０が損傷を受けることを回避することができる。
【００２３】
以上、本発明の一実施の形態を説明した。本発明は上記実施の形態に限定されるものではなく、本発明の要旨の範囲内において種々の変形実施が可能である。
【００２４】
【発明の効果】
以上説明した本発明によれば、大きな振動や衝撃が装置に加った場合や光ディスク重心とクランプ孔中心のずれなどに起因して光ディスクの振れが発生しても、光ディスクにキズを付けることがなく、また装置の薄型化を可能とするディスクドライブ装置を実現することができる。
【図面の簡単な説明】
【図１】本発明の一実施の形態に係るディスクドライブ装置の構成を示す断面図である。
【図２】本発明の別の実施の形態に係るディスクドライブ装置の構成を示す断面図である。
【図３】本発明の更に別の実施の形態に係るディスクドライブ装置の構成を示す断面図である。
【図４】従来のディスクドライブ装置の構成を示す斜視図である。
【図５】従来のディスクドライブ装置の浮動支持機構を構成する各部材を示す分解斜視図である。
【図６】従来のディスクドライブ装置の緩衝手段全体の断面図である。
【符号の説明】
１０　光ディスク　　　　　　　　　１１　防振部材
１３　装置本体　　　　　　　　　　１４　トラバースメカユニット
１５　ストッパ　　　　　　　　　　１６、１６Ａ　取り付け部材
１７　嵌入孔　　　　　　　　　　　１８　凹部
１９　嵌入孔　　　　　　　　　　　２０　雌ネジ
２１　凹部　　　　　　　　　　　　２２　脚部
２３　嵌入孔　　　　　　　　　　　２４　ストッパ
４２　ディスク回転駆動手段
【図１】
2004079106.tif 000003
【図２】
2004079106.tif 000004
【図３】
2004079106.tif 000005
【図４】
2004079106.tif 000006
【図５】
2004079106.tif 000007
【図６】
2004079106.tif 000008